(57)【要約】【課題】  炭素電極棒に１５アンペア以上の電流を流すことのできる対策を講じることによって治療効果を向上させた光線治療器を提供する。【解決手段】  炭素電極棒５をその直径が９ｍｍ以上になるように太くし、そのような太い炭素電極棒５を保持するためのクランパー４をホルダー２に各別に取り付けて炭素電極棒５への通電路を形成する。クランパー４で、１５アンペア以上の電流を流すことのできる太さを有する炭素電極棒５を保持可能とする。クランパー４を、受部材４１と押さえ部材４３と締付け部材４５とによって構成する。ねじ送り機構７によって一対のホルダー２，２を開閉揺動可能とする。【選択図】        図１
0003112853.tif 000002
【実用新案登録請求の範囲】
【請求項１】
一対の炭素電極棒を着脱自在に及び進退自在に保持する各別のクランパーが、互いに開閉揺動可能な一対のホルダーに各別に取り付けられ、上記炭素電極棒への通電路が、上記ホルダーとそのホルダーに取り付けられたクランパーとにより形成されて一対の上記炭素電極棒間にアーク放電を発生させる光線治療器において、
上記炭素電極棒が、１５アンペア以上の電流を流すことのできる太さを有することを特徴とする光線治療器。
【請求項２】
上記炭素電極棒は、その直径が９ｍｍ以上である請求項１に記載した光線治療器。
【請求項３】
上記クランパーが、上記炭素電極棒の下半周部分を取り囲む半円筒部を備えた受部材と、上記炭素電極棒の上半周部分に被せられる半円筒部を備えた押さえ部材と、それらの受部材と押さえ部材とを締め付けて上記炭素電極棒の外周面の周方向のほゞ全域に亘って接触する上下の上記半円筒部によって上記炭素電極棒を挟持させる締付け部材と、を備えている請求項１又は請求項２に記載した光線治療器。
【請求項４】
一端側と他端側とにねじり方向の異なるねじが形成されたねじ軸と、このねじ軸の一方側のねじと他方側のねじとに各別にねじ合わされた一対の可動体とを備えるねじ送り機構を有し、一対の上記ホルダーのそれぞれの揺動中心に対する偏心箇所に、一対の上記可動体が連結されている請求項１ないし請求項３のいずれか１項に記載した光線治療器。
【考案の詳細な説明】
【技術分野】
【０００１】
本考案は、炭素電極棒同士の間でアーク放電を行い、これによって発生する電磁波（可視光線、赤外線、紫外線などを含む）を人体の患部に照射して治療を行う光線治療器に関し、詳細には、患部に対する電磁波の照射量を無理なく増大させて治療効果を高めるための対策を講じた光線治療器に関するものである。
【背景技術】
【０００２】
アーク放電によって生じる電磁波を人体に照射すると、患部の治療や体力の増強に効果があることが知られていて（例えば、特許文献１参照）、アーク放電を発生する治療器は各種市販されている。
【０００３】
一方、図４はこの種の治療器の他の一例を示す平面説明図であり、開口２０ａを設けたフード２０の内部に一対の炭素電極棒１１，１１を配設し、これら炭素電極棒１１はクランパー１８に着脱自在に取付けられ、それらのクランパー１８，１８はリンク機構２２を介してハンドル２１と連結される。そして、ハンドル２１を矢印Ｃ又はＤ方向へ動かすことにより、炭素電極棒１１，１１の間隔Ｇを近接または離反できるように構成され、炭素電極棒１１，１１同士の先端が消耗してその間隔Ｇが広がったときに、この間隔を手動によって調節して安定したアーク放電を行えるように構成される。
【０００４】
図４の治療器において、クランパー１８は、図５のように炭素電極棒１１を挿入することのできる内径を備えた筒状に形成されている。そして、クランパー１８のねじ孔１８ａにねじ込んだ操作ねじ１９を締め付けることによりクランパー１８に挿入した炭素電極棒１１を固定したり、操作ねじ１９を緩めることによってクランパー１８に挿入した炭素電極棒１１に対する固定を解除することができるようになっていて、炭素電極棒１１を着脱したり進退させたりするときには、操作ねじ１９を緩めてそれらの操作が行われる。また、クランパー１８は一般的に電導性の高い銅または銅合金によって形成されていて、このクランパー１８を経て電極棒１１への通電が行われる。
【０００５】
ところで、図４又は図５を参照して説明した治療器では、炭素電極棒１１に流す電流値を５アンペア以下に抑え、炭素電極棒１１にもその電流値に見合う比較的細いものを使用していた。すなわち、炭素電極棒１１として、５アンペア以下の電流値を流すことを前提として、その直径が８ｍｍ以下のものを使用していた。
【０００６】
【特許文献１】特開平９−１７３４８０号公報
【考案の開示】
【考案が解決しようとする課題】
【０００７】
しかしながら、炭素電極棒１１に流す電流値が５アンペア以下に抑えられてしまうと、短時間で高い治療効果を得たいという要求や、治療器を遠くにおいて良好な治療効果を得たいという要求に、十分に対処することができない。
【０００８】
本考案は、以上の状況に鑑みてなされたものであり、炭素電極棒に１５アンペア以上の電流を流すことのできる対策を講じることによって、上記した各要求に対処し得る光線治療器を提供することを目的とする。
【０００９】
また、炭素電極棒に１５アンペア以上の電流を流すことのできる対策を講じた場合に、そのような炭素電極棒を確実に固定することのできる対策をクランパーに講じた光線治療器を提供することを目的とする。
【００１０】
さらに、一対の炭素電極棒の対向角度を変化させてアーク放電効率を向上させることのできる光線治療器を提供することを目的とする。
【課題を解決するための手段】
【００１１】
本考案に係る光線治療器は、一対の炭素電極棒を着脱自在に及び進退自在に保持する各別のクランパーが、互いに開閉揺動可能な一対のホルダーに各別に取り付けられ、上記炭素電極棒への通電路が、上記ホルダーとそのホルダーに取り付けられたクランパーとにより形成されて一対の上記炭素電極棒間にアーク放電を発生させる光線治療器において、上記炭素電極棒が、１５アンペア以上の電流を流すことのできる太さを有する、というものである。そして、炭素電極棒に１５アンペア以上の電流を流すためには、その炭素電極棒の直径を９ｍｍ以上にしておくことが必要である。
【００１２】
この構成であれば、炭素電極棒に流す電流値を５アンペア以上、特に好適には１５アンペア以上に高めることが可能になるので、短時間で高い治療効果を得たいという要求や、治療器を遠くにおいて良好な治療効果を得たいという要求に十分に対処することが可能になる。また、炭素電極棒に１５アンペア以上の電流を流すことのできる対策として、その炭素電極棒の直径を９ｍｍ以上に太くするという手段を選択したことにより、特別の部品を追加したりする必要がないという利点がある。
【００１３】
本考案では、上記クランパーが、上記炭素電極棒の下半周部分を取り囲む半円筒部を備えた受部材と、上記炭素電極棒の上半周部分に被せられる半円筒部を備えた押さえ部材と、それらの受部材と押さえ部材とを締め付けて上記炭素電極棒の外周面の周方向のほゞ全域に亘って接触する上下の上記半円筒部によって上記炭素電極棒を挟持させる締付け部材と、を備えていることが望ましい。これによれば、炭素電極棒を太くしても、その炭素電極棒をクランパーの受け部材と押さえ部材とによって確実に保持させることが可能になり、併せて、それらの受け部材や押さえ部材に備わっている半円筒部が、太い炭素電極棒の外周面の周方向のほゞ全域に亘って接触するようになり、そのことが、クランパーによる炭素電極棒の保持箇所での異常放電を防止することに役立ち、併せて、過熱や溶融を防止することにも役立つ。
【００１４】
本考案では、一端側と他端側とにねじり方向の異なるねじが形成されたねじ軸と、このねじ軸の一方側のねじと他方側のねじとに各別にねじ合わされた一対の可動体とを備えるねじ送り機構を有し、一対の上記ホルダーのそれぞれの揺動中心に対する偏心箇所に、一対の上記可動体が連結されていることが望ましい。これによれば、ねじ送り機構を操作することよって、一対の炭素電極棒の対向角度を変化させてアーク放電効率を向上させることが容易に可能になる。
【考案の効果】
【００１５】
以上のように、本考案によれば、炭素電極棒を太くして１５アンペア以上の電流を流すことができるようにしたので、短時間で高い治療効果を得たいという要求や、治療器を遠くにおいて良好な治療効果を得たいという要求に十分に対処することが可能になる。そして、クランパーに、炭素電極棒の下半周部分を取り囲む半円筒部を備えた受部材と、炭素電極棒の上半周部分に被せられる半円筒部を備えた押さえ部材と、それらの受部材と押さえ部材とを締め付けて炭素電極棒の外周面の周方向のほゞ全域に亘って接触する上下の半円筒部によって炭素電極棒を挟持させる締付け部材とを備えているという構成を採用すると、炭素電極棒を太くしても、その炭素電極棒をクランパーで確実に保持させ、併せて、クランパーと炭素電極棒との接触面積を増大させて異常放電や過熱・溶融を防止することが可能になるという卓越した効果が奏される。さらに、一対の炭素電極棒の対向角度を変化させることも可能であるので、その対向角度を変え、アーク放電効率を最適に定めて治療効果を高めることも可能である。
【考案を実施するための最良の形態】
【００１６】
図１は本考案に係る光線治療器の要部の概略斜視図である。同図において、１は支持台であり、この支持台１の上に、導電性に優れた金属、たとえば銅又は銅合金でなる平板状のホルダー２，２が縦軸３，３を介して開閉揺動可能に取り付けられている。これら一対のホルダー２，２のそれぞれの先端部にクランパー４が取り付けられている。図２にクランパー４を一部破断して示してあり、同図で判るように、このクランパー４は、炭素電極棒５の下半周部分を取り囲む半円筒部４２を備えた受部材４１と、炭素電極棒５の上半周部分に被せられる半円筒部４４を備えた押さえ部材４３と、それらの受部材４１と押さえ部材４３とを締め付けて炭素電極棒５の外周面の周方向のほゞ全域に亘って接触する上下の上記半円筒部４２，４４によって炭素電極棒５を挟持させる締付け部材４５とを備えていて、締付け部材４５は、上記ホルダー２に立設されて受部材４１と押さえ部材４３とを貫通している固定ボルト４６と、その固定ボルト４６にねじ込まれた蝶ナット４７とでなる。このクランパー４は、ホルダー２と共に通電路を形成している。
【００１７】
上記構成のクランパー４は、炭素電極棒５の直径を９ｍｍ以上に太くしてその炭素電極棒５に１５アンペア以上の電流を流すことができるようにしてある場合でも、その炭素電極棒５を上記した上下の半円筒部４２，４４によって炭素電極棒５を挟持することができるサイズに形成されている。したがって、図２のにように炭素電極棒５をクランパー４の受け部材４１の半円筒部４２と押さえ部材４３の半円筒部４４との間に挾み込み、蝶ナット４７を締め付けると、受け部材４１や押さえ部材４３の半円筒部４２，４４が、太い炭素電極棒５の外周面の周方向のほゞ全域に亘って接触する。そのため、クランパー４による炭素電極棒５の保持箇所での異常放電が防止され、併せて、過熱や溶融も防止されるようになる。このことにより、一対の炭素電極棒５，５に１５アンペア以上の電流を流してそれらの先端部間でアーク放電させると、より多くの量の電磁波が発生して短時間で高い治療効果が得たいという要求や、治療器を遠くにおいて良好な治療効果を得たいという要求に十分に対処することが可能になる。
【００１８】
また、この実施形態では、一対のホルダー２，２を縦軸３，３を中心に開閉揺動可能としてあるため、それらのホルダー２，２を開閉揺動させて一対の炭素電極棒５，５の対向角度を変化させることができる。したがって、その対向角度を適切に定めて効率のよいアーク放電を行わせることが可能になり、そのことが、より多くの量の電磁波を発生させことに役立つ。
【００１９】
この実施形態において、一対のホルダー２，２を開閉揺動可能とする構成には、図３に示したねじ送り機構７を採用している。このねじ送り機構７は、一端側と他端側とにねじり方向の異なるねじ７１，７１が形成されたねじ軸７２と、このねじ軸７２の一方側のねじ７１と他方側のねじ７１とに各別にねじ合わされた一対の可動体７３，７３とを備えている。そして、図１に示した一対の上記ホルダー２，２のそれぞれの揺動中心（縦軸３の設置箇所）に対する偏心箇所（後端側部分）に垂設した縦ピン２１，２１に、連結金具２２，２２を介して一対の上記可動体７３，７３を各別に連結してある。このねじ送り機構７によると、ねじ軸７２を正方向又は逆方向に回転させると、可動体７３，７３が矢印Ｆのように互いに接近又は離反するので、それらの可動体７３，７３の動作が連結金具２２，２２と縦ピン２１，２１とを介してホルダー２，２に伝わり、それらのホルダー２，２が開閉揺動してクランパー４，４に保持されている一対の炭素電極棒５，５の対向角度が図１の矢印Ｘ，Ｘのように変化する。
【図面の簡単な説明】
【００２０】
【図１】本考案に係る光線治療器の要部の概略斜視図である。
【図２】クランパー４の一部破断正面図である。
【図３】ねじ送り機構の平面図である。
【図４】従来の光線治療器の一例を示した平面説明図である。
【図５】図４の光線治療器のクランパーの断面図である。
【符号の説明】
【００２１】
２  ホルダー
４  クランパー
５  炭素電極棒
７  ねじ送り機構
４１  受部材
４２  半円筒部
４３  押さえ部材
４４  半円筒部
４５  締付け部材
７１  ねじ
７２  ねじ軸
７３  可動体
【図１】
0003112853.tif 000003
【図２】
0003112853.tif 000004
【図３】
0003112853.tif 000005
【図４】
0003112853.tif 000006
【図５】
0003112853.tif 000007